(57)【要約】      （修正有）【課題】RRC_INACTIVE状態である端末装置が基地局装置間のアップリンク送信を行うことができる移動通信システム、端末装置、基地局装置、通信方法及びコンピュータプログラムを提供する。【解決手段】基地局装置２０は、RRC_CONNECTED状態からRRC_INACTIVE状態へ移行させる制御信号であって接続パラメータ情報を含む制御信号を端末装置１０へ送信する。端末装置は、RRC_CONNECTED状態から移行したRRC_INACTIVE状態において、制御信号に含まれる接続パラメータ情報を使用して基地局装置間のアップリンク送信を行う。基地局装置は、制御信号に含まれる接続パラメータ情報を使用して、RRC_CONNECTED状態から移行したRRC_INACTIVE状態の端末装置間のアップリンク受信を行う。【選択図】図４
2020027955.tif 000002
【特許請求の範囲】
【請求項１】
基地局装置と、前記基地局装置と無線通信を行う端末装置とを備える移動通信システムにおいて、
前記基地局装置は、RRC_CONNECTED状態からRRC_INACTIVE状態へ移行させる制御信号であって接続パラメータ情報を含む前記制御信号を前記端末装置へ送信し、
前記端末装置は、前記制御信号を受信した場合に、前記RRC_CONNECTED状態から移行した前記RRC_INACTIVE状態において、前記制御信号に含まれる前記接続パラメータ情報を使用して前記基地局装置間のアップリンク送信を行い、
前記基地局装置は、前記制御信号に含まれる前記接続パラメータ情報を使用して、前記RRC_CONNECTED状態から移行した前記RRC_INACTIVE状態の前記端末装置間のアップリンク受信を行う、
移動通信システム。
【請求項２】
基地局装置と、前記基地局装置と無線通信を行う端末装置とを備える移動通信システムにおいて、
前記基地局装置は、RRC_CONNECTED状態からRRC_INACTIVE状態へ移行させる制御信号を前記端末装置へ送信し、
前記端末装置は、前記制御信号を受信した場合に、前記RRC_CONNECTED状態から移行した前記RRC_INACTIVE状態において、前記RRC_CONNECTED状態における前記基地局装置間のアップリンク送信の接続パラメータ情報を使用して、前記基地局装置間のアップリンク送信を行い、
前記基地局装置は、前記RRC_CONNECTED状態における前記端末装置間のアップリンク受信の接続パラメータ情報を使用して、前記RRC_CONNECTED状態から移行した前記RRC_INACTIVE状態の前記端末装置間のアップリンク受信を行う、
移動通信システム。
【請求項３】
前記制御信号は、前記RRC_CONNECTED状態の接続パラメータ情報を使用するか否かを示す接続パラメータ情報使用情報を含み、
前記端末装置は、前記制御信号を受信した場合において前記制御信号の前記接続パラメータ情報使用情報が前記RRC_CONNECTED状態の接続パラメータ情報を使用することを示すときに、前記RRC_CONNECTED状態から移行した前記RRC_INACTIVE状態において、前記RRC_CONNECTED状態における前記基地局装置間のアップリンク送信の接続パラメータ情報を使用して、前記基地局装置間のアップリンク送信を行い、
前記基地局装置は、前記端末装置へ送信した前記制御信号の前記接続パラメータ情報使用情報が前記RRC_CONNECTED状態の接続パラメータ情報を使用することを示す場合に、前記RRC_CONNECTED状態における前記端末装置間のアップリンク受信の接続パラメータ情報を使用して、前記RRC_CONNECTED状態から移行した前記RRC_INACTIVE状態の前記端末装置間のアップリンク受信を行う、
請求項２に記載の移動通信システム。
【請求項４】
前記端末装置は、前記制御信号を受信した場合において、特定のＱｏＳが設定されたベアラが前記端末装置とコアネットワークとの間に確立されているときに、前記RRC_CONNECTED状態から移行した前記RRC_INACTIVE状態において、前記RRC_CONNECTED状態における前記基地局装置間のアップリンク送信の接続パラメータ情報を使用して、前記基地局装置間のアップリンク送信を行い、
前記基地局装置は、前記ベアラが前記端末装置と前記コアネットワークとの間に確立されている場合に、前記RRC_CONNECTED状態における前記端末装置間のアップリンク受信の接続パラメータ情報を使用して、前記RRC_CONNECTED状態から移行した前記RRC_INACTIVE状態の前記端末装置間のアップリンク受信を行う、
請求項２に記載の移動通信システム。
【請求項５】
前記端末装置は、前記RRC_INACTIVE状態から移行したRRC_CONNECTED状態において、前記RRC_INACTIVE状態における前記基地局装置間のアップリンク送信の接続パラメータ情報を使用して、前記基地局装置間のアップリンク送信を行い、
前記基地局装置は、前記RRC_INACTIVE状態における前記端末装置間のアップリンク受信の接続パラメータ情報を使用して、前記RRC_INACTIVE状態から移行したRRC_CONNECTED状態の前記端末装置間のアップリンク受信を行う、
請求項１から４のいずれか１項に記載の移動通信システム。
【請求項６】
前記端末装置は、前記RRC_INACTIVE状態において、前記基地局装置から受信した信号に基づいて前記基地局装置間のアップリンク送信に使用する接続パラメータ情報の送信電力値を調整する、
請求項１から５のいずれか１項に記載の移動通信システム。
【請求項７】
基地局装置と、前記基地局装置と無線通信を行う端末装置とを備える移動通信システムの前記端末装置において、
RRC_CONNECTED状態からRRC_INACTIVE状態へ移行させる制御信号であって接続パラメータ情報を含む前記制御信号を前記基地局装置から受信した場合に、前記RRC_CONNECTED状態から移行した前記RRC_INACTIVE状態において、前記制御信号に含まれる前記接続パラメータ情報を使用して前記基地局装置間のアップリンク送信を行う無線通信部、
を備える端末装置。
【請求項８】
基地局装置と、前記基地局装置と無線通信を行う端末装置とを備える移動通信システムの前記基地局装置において、
RRC_CONNECTED状態からRRC_INACTIVE状態へ移行させる制御信号であって接続パラメータ情報を含む前記制御信号を前記端末装置へ送信し、前記制御信号に含まれる前記接続パラメータ情報を使用して、前記RRC_CONNECTED状態から移行した前記RRC_INACTIVE状態の前記端末装置間のアップリンク受信を行う無線通信部、
を備える基地局装置。
【請求項９】
基地局装置と、前記基地局装置と無線通信を行う端末装置とを備える移動通信システムの前記端末装置において、
RRC_CONNECTED状態からRRC_INACTIVE状態へ移行させる制御信号を前記基地局装置から受信した場合に、前記RRC_CONNECTED状態から移行した前記RRC_INACTIVE状態において、前記RRC_CONNECTED状態における前記基地局装置間のアップリンク送信の接続パラメータ情報を使用して、前記基地局装置間のアップリンク送信を行う無線通信部、
を備える端末装置。
【請求項１０】
基地局装置と、前記基地局装置と無線通信を行う端末装置とを備える移動通信システムの前記基地局装置において、
RRC_CONNECTED状態からRRC_INACTIVE状態へ移行させる制御信号を前記端末装置へ送信し、前記RRC_CONNECTED状態における前記端末装置間のアップリンク受信の接続パラメータ情報を使用して、前記RRC_CONNECTED状態から移行した前記RRC_INACTIVE状態の前記端末装置間のアップリンク受信を行う無線通信部、
を備える基地局装置。
【請求項１１】
基地局装置と、前記基地局装置と無線通信を行う端末装置とを備える移動通信システムの通信方法であって、
前記基地局装置が、RRC_CONNECTED状態からRRC_INACTIVE状態へ移行させる制御信号であって接続パラメータ情報を含む前記制御信号を前記端末装置へ送信する制御信号送信ステップと、
前記端末装置が、前記制御信号を受信した場合に、前記RRC_CONNECTED状態から移行した前記RRC_INACTIVE状態において、前記制御信号に含まれる前記接続パラメータ情報を使用して前記基地局装置間のアップリンク送信を行うアップリンク送信ステップと、
前記基地局装置が、前記制御信号に含まれる前記接続パラメータ情報を使用して、前記RRC_CONNECTED状態から移行した前記RRC_INACTIVE状態の前記端末装置間のアップリンク受信を行うアップリンク受信ステップと、
を含む通信方法。
【請求項１２】
基地局装置と、前記基地局装置と無線通信を行う端末装置とを備える移動通信システムの通信方法であって、
前記基地局装置が、RRC_CONNECTED状態からRRC_INACTIVE状態へ移行させる制御信号を前記端末装置へ送信する制御信号送信ステップと、
前記端末装置が、前記制御信号を受信した場合に、前記RRC_CONNECTED状態から移行した前記RRC_INACTIVE状態において、前記RRC_CONNECTED状態における前記基地局装置間のアップリンク送信の接続パラメータ情報を使用して、前記基地局装置間のアップリンク送信を行うアップリンク送信ステップと、
前記基地局装置が、前記RRC_CONNECTED状態における前記端末装置間のアップリンク受信の接続パラメータ情報を使用して、前記RRC_CONNECTED状態から移行した前記RRC_INACTIVE状態の前記端末装置間のアップリンク受信を行うアップリンク受信ステップと、
を含む通信方法。
【請求項１３】
基地局装置と、前記基地局装置と無線通信を行う端末装置とを備える移動通信システムの前記端末装置のコンピュータに、
RRC_CONNECTED状態からRRC_INACTIVE状態へ移行させる制御信号であって接続パラメータ情報を含む前記制御信号を前記基地局装置から受信した場合に、前記RRC_CONNECTED状態から移行した前記RRC_INACTIVE状態において、前記制御信号に含まれる前記接続パラメータ情報を使用して前記基地局装置間のアップリンク送信を行うアップリンク送信ステップ、
を実行させるためのコンピュータプログラム。
【請求項１４】
基地局装置と、前記基地局装置と無線通信を行う端末装置とを備える移動通信システムの前記基地局装置のコンピュータに、
RRC_CONNECTED状態からRRC_INACTIVE状態へ移行させる制御信号であって接続パラメータ情報を含む前記制御信号を前記端末装置へ送信する制御信号送信ステップと、
前記制御信号に含まれる前記接続パラメータ情報を使用して、前記RRC_CONNECTED状態から移行した前記RRC_INACTIVE状態の前記端末装置間のアップリンク受信を行うアップリンク受信ステップと、
を実行させるためのコンピュータプログラム。
【請求項１５】
基地局装置と、前記基地局装置と無線通信を行う端末装置とを備える移動通信システムの前記端末装置のコンピュータに、
RRC_CONNECTED状態からRRC_INACTIVE状態へ移行させる制御信号を前記基地局装置から受信した場合に、前記RRC_CONNECTED状態から移行した前記RRC_INACTIVE状態において、前記RRC_CONNECTED状態における前記基地局装置間のアップリンク送信の接続パラメータ情報を使用して、前記基地局装置間のアップリンク送信を行うアップリンク送信ステップ、
を実行させるためのコンピュータプログラム。
【請求項１６】
基地局装置と、前記基地局装置と無線通信を行う端末装置とを備える移動通信システムの前記基地局装置のコンピュータに、
RRC_CONNECTED状態からRRC_INACTIVE状態へ移行させる制御信号を前記端末装置へ送信する制御信号送信ステップと、
前記RRC_CONNECTED状態における前記端末装置間のアップリンク受信に使用した接続パラメータ情報を使用して、前記RRC_CONNECTED状態から移行した前記RRC_INACTIVE状態の前記端末装置間のアップリンク受信を行うアップリンク受信ステップと、
を実行させるためのコンピュータプログラム。
【発明の詳細な説明】
【技術分野】
【０００１】
本発明は、移動通信システム、端末装置、基地局装置、通信方法及びコンピュータプログラムに関する。
【背景技術】
【０００２】
従来、移動通信システムとして、３ＧＰＰ（3rd Generation Partnership Project）で検討されているＬＴＥ（Long Term Evolution）と呼ばれる移動通信システム（ＬＴＥシステム）や第５世代の移動通信システム（５Ｇシステム）等が知られている。
ＬＴＥシステムや５Ｇシステムにおいて、端末装置のＲＲＣ（Radio Resource Control）プロトコルの状態には、RRC_CONNECTED状態とRRC_IDLE状態とが存在する。RRC_CONNECTED状態は無線コネクション確立時の状態である。RRC_IDLE状態は待受け時の状態である。
【０００３】
さらに、ＮＲ（New Radio）においては、端末装置のＲＲＣプロトコルの状態として、RRC_INACTIVE状態が新たに追加される。RRC_INACTIVE状態は、端末装置がコアネットワーク（Core Network）と通信するための情報（ＵＥ（User Equipment）コンテキスト）が最終接続基地局（Last serving cell）に保持された状態における、待受け時の状態である。RRC_INACTIVE状態である端末装置が基地局装置へ信号を送信するアップリンク送信技術の検討内容が、例えば非特許文献１に記載されている。
【先行技術文献】
【非特許文献】
【０００４】
【非特許文献１】3GPP TR 38.812 v0.0.1, February 2018
【発明の概要】
【発明が解決しようとする課題】
【０００５】
しかし、上述した非特許文献１に記載されるアップリンク送信技術の検討内容では、RRC_INACTIVE状態である端末装置が基地局装置へ信号を送信する際に使用する接続パラメータ情報を、端末装置がどのようにして取得するのかが不明である。このため、RRC_INACTIVE状態である端末装置が基地局装置へ信号を送信することができない。
【０００６】
本発明は、このような事情を考慮してなされたものであり、その目的は、RRC_INACTIVE状態である端末装置が基地局装置間のアップリンク送信を行うことができるようにすることにある。
【課題を解決するための手段】
【０００７】
（１）本発明の一態様は、基地局装置と、前記基地局装置と無線通信を行う端末装置とを備える移動通信システムにおいて、前記基地局装置は、RRC_CONNECTED状態からRRC_INACTIVE状態へ移行させる制御信号であって接続パラメータ情報を含む前記制御信号を前記端末装置へ送信し、前記端末装置は、前記制御信号を受信した場合に、前記RRC_CONNECTED状態から移行した前記RRC_INACTIVE状態において、前記制御信号に含まれる前記接続パラメータ情報を使用して前記基地局装置間のアップリンク送信を行い、前記基地局装置は、前記制御信号に含まれる前記接続パラメータ情報を使用して、前記RRC_CONNECTED状態から移行した前記RRC_INACTIVE状態の前記端末装置間のアップリンク受信を行う、移動通信システムである。
【０００８】
（２）本発明の一態様は、基地局装置と、前記基地局装置と無線通信を行う端末装置とを備える移動通信システムにおいて、前記基地局装置は、RRC_CONNECTED状態からRRC_INACTIVE状態へ移行させる制御信号を前記端末装置へ送信し、前記端末装置は、前記制御信号を受信した場合に、前記RRC_CONNECTED状態から移行した前記RRC_INACTIVE状態において、前記RRC_CONNECTED状態における前記基地局装置間のアップリンク送信の接続パラメータ情報を使用して、前記基地局装置間のアップリンク送信を行い、前記基地局装置は、前記RRC_CONNECTED状態における前記端末装置間のアップリンク受信の接続パラメータ情報を使用して、前記RRC_CONNECTED状態から移行した前記RRC_INACTIVE状態の前記端末装置間のアップリンク受信を行う、移動通信システムである。
（３）本発明の一態様は、前記制御信号は、前記RRC_CONNECTED状態の接続パラメータ情報を使用するか否かを示す接続パラメータ情報使用情報を含み、前記端末装置は、前記制御信号を受信した場合において前記制御信号の前記接続パラメータ情報使用情報が前記RRC_CONNECTED状態の接続パラメータ情報を使用することを示すときに、前記RRC_CONNECTED状態から移行した前記RRC_INACTIVE状態において、前記RRC_CONNECTED状態における前記基地局装置間のアップリンク送信の接続パラメータ情報を使用して、前記基地局装置間のアップリンク送信を行い、前記基地局装置は、前記端末装置へ送信した前記制御信号の前記接続パラメータ情報使用情報が前記RRC_CONNECTED状態の接続パラメータ情報を使用することを示す場合に、前記RRC_CONNECTED状態における前記端末装置間のアップリンク受信の接続パラメータ情報を使用して、前記RRC_CONNECTED状態から移行した前記RRC_INACTIVE状態の前記端末装置間のアップリンク受信を行う、上記（２）の移動通信システムである。
（４）本発明の一態様は、前記端末装置は、前記制御信号を受信した場合において、特定のＱｏＳが設定されたベアラが前記端末装置とコアネットワークとの間に確立されているときに、前記RRC_CONNECTED状態から移行した前記RRC_INACTIVE状態において、前記RRC_CONNECTED状態における前記基地局装置間のアップリンク送信の接続パラメータ情報を使用して、前記基地局装置間のアップリンク送信を行い、前記基地局装置は、前記ベアラが前記端末装置と前記コアネットワークとの間に確立されている場合に、前記RRC_CONNECTED状態における前記端末装置間のアップリンク受信の接続パラメータ情報を使用して、前記RRC_CONNECTED状態から移行した前記RRC_INACTIVE状態の前記端末装置間のアップリンク受信を行う、上記（２）の移動通信システムである。
【０００９】
（５）本発明の一態様は、前記端末装置は、前記RRC_INACTIVE状態から移行したRRC_CONNECTED状態において、前記RRC_INACTIVE状態における前記基地局装置間のアップリンク送信の接続パラメータ情報を使用して、前記基地局装置間のアップリンク送信を行い、前記基地局装置は、前記RRC_INACTIVE状態における前記端末装置間のアップリンク受信の接続パラメータ情報を使用して、前記RRC_INACTIVE状態から移行したRRC_CONNECTED状態の前記端末装置間のアップリンク受信を行う、上記（１）から（４）のいずれかの移動通信システムである。
（６）本発明の一態様は、前記端末装置は、前記RRC_INACTIVE状態において、前記基地局装置から受信した信号に基づいて前記基地局装置間のアップリンク送信に使用する接続パラメータ情報の送信電力値を調整する、上記（１）から（５）のいずれかの移動通信システムである。
【００１０】
（７）本発明の一態様は、基地局装置と、前記基地局装置と無線通信を行う端末装置とを備える移動通信システムの前記端末装置において、RRC_CONNECTED状態からRRC_INACTIVE状態へ移行させる制御信号であって接続パラメータ情報を含む前記制御信号を前記基地局装置から受信した場合に、前記RRC_CONNECTED状態から移行した前記RRC_INACTIVE状態において、前記制御信号に含まれる前記接続パラメータ情報を使用して前記基地局装置間のアップリンク送信を行う無線通信部、を備える端末装置である。
（８）本発明の一態様は、基地局装置と、前記基地局装置と無線通信を行う端末装置とを備える移動通信システムの前記基地局装置において、RRC_CONNECTED状態からRRC_INACTIVE状態へ移行させる制御信号であって接続パラメータ情報を含む前記制御信号を前記端末装置へ送信し、前記制御信号に含まれる前記接続パラメータ情報を使用して、前記RRC_CONNECTED状態から移行した前記RRC_INACTIVE状態の前記端末装置間のアップリンク受信を行う無線通信部、を備える基地局装置である。
【００１１】
（９）本発明の一態様は、基地局装置と、前記基地局装置と無線通信を行う端末装置とを備える移動通信システムの前記端末装置において、RRC_CONNECTED状態からRRC_INACTIVE状態へ移行させる制御信号を前記基地局装置から受信した場合に、前記RRC_CONNECTED状態から移行した前記RRC_INACTIVE状態において、前記RRC_CONNECTED状態における前記基地局装置間のアップリンク送信の接続パラメータ情報を使用して、前記基地局装置間のアップリンク送信を行う無線通信部、を備える端末装置である。
（１０）本発明の一態様は、基地局装置と、前記基地局装置と無線通信を行う端末装置とを備える移動通信システムの前記基地局装置において、RRC_CONNECTED状態からRRC_INACTIVE状態へ移行させる制御信号を前記端末装置へ送信し、前記RRC_CONNECTED状態における前記端末装置間のアップリンク受信の接続パラメータ情報を使用して、前記RRC_CONNECTED状態から移行した前記RRC_INACTIVE状態の前記端末装置間のアップリンク受信を行う無線通信部、を備える基地局装置である。
【００１２】
（１１）本発明の一態様は、基地局装置と、前記基地局装置と無線通信を行う端末装置とを備える移動通信システムの通信方法であって、前記基地局装置が、RRC_CONNECTED状態からRRC_INACTIVE状態へ移行させる制御信号であって接続パラメータ情報を含む前記制御信号を前記端末装置へ送信する制御信号送信ステップと、前記端末装置が、前記制御信号を受信した場合に、前記RRC_CONNECTED状態から移行した前記RRC_INACTIVE状態において、前記制御信号に含まれる前記接続パラメータ情報を使用して前記基地局装置間のアップリンク送信を行うアップリンク送信ステップと、前記基地局装置が、前記制御信号に含まれる前記接続パラメータ情報を使用して、前記RRC_CONNECTED状態から移行した前記RRC_INACTIVE状態の前記端末装置間のアップリンク受信を行うアップリンク受信ステップと、を含む通信方法である。
【００１３】
（１２）本発明の一態様は、基地局装置と、前記基地局装置と無線通信を行う端末装置とを備える移動通信システムの通信方法であって、前記基地局装置が、RRC_CONNECTED状態からRRC_INACTIVE状態へ移行させる制御信号を前記端末装置へ送信する制御信号送信ステップと、前記端末装置が、前記制御信号を受信した場合に、前記RRC_CONNECTED状態から移行した前記RRC_INACTIVE状態において、前記RRC_CONNECTED状態における前記基地局装置間のアップリンク送信の接続パラメータ情報を使用して、前記基地局装置間のアップリンク送信を行うアップリンク送信ステップと、前記基地局装置が、前記RRC_CONNECTED状態における前記端末装置間のアップリンク受信の接続パラメータ情報を使用して、前記RRC_CONNECTED状態から移行した前記RRC_INACTIVE状態の前記端末装置間のアップリンク受信を行うアップリンク受信ステップと、を含む通信方法である。
【００１４】
（１３）本発明の一態様は、基地局装置と、前記基地局装置と無線通信を行う端末装置とを備える移動通信システムの前記端末装置のコンピュータに、RRC_CONNECTED状態からRRC_INACTIVE状態へ移行させる制御信号であって接続パラメータ情報を含む前記制御信号を前記基地局装置から受信した場合に、前記RRC_CONNECTED状態から移行した前記RRC_INACTIVE状態において、前記制御信号に含まれる前記接続パラメータ情報を使用して前記基地局装置間のアップリンク送信を行うアップリンク送信ステップ、を実行させるためのコンピュータプログラムである。
（１４）本発明の一態様は、基地局装置と、前記基地局装置と無線通信を行う端末装置とを備える移動通信システムの前記基地局装置のコンピュータに、RRC_CONNECTED状態からRRC_INACTIVE状態へ移行させる制御信号であって接続パラメータ情報を含む前記制御信号を前記端末装置へ送信する制御信号送信ステップと、前記制御信号に含まれる前記接続パラメータ情報を使用して、前記RRC_CONNECTED状態から移行した前記RRC_INACTIVE状態の前記端末装置間のアップリンク受信を行うアップリンク受信ステップと、を実行させるためのコンピュータプログラムである。
【００１５】
（１５）本発明の一態様は、基地局装置と、前記基地局装置と無線通信を行う端末装置とを備える移動通信システムの前記端末装置のコンピュータに、RRC_CONNECTED状態からRRC_INACTIVE状態へ移行させる制御信号を前記基地局装置から受信した場合に、前記RRC_CONNECTED状態から移行した前記RRC_INACTIVE状態において、前記RRC_CONNECTED状態における前記基地局装置間のアップリンク送信の接続パラメータ情報を使用して、前記基地局装置間のアップリンク送信を行うアップリンク送信ステップ、を実行させるためのコンピュータプログラムである。
【００１６】
（１６）本発明の一態様は、基地局装置と、前記基地局装置と無線通信を行う端末装置とを備える移動通信システムの前記基地局装置のコンピュータに、RRC_CONNECTED状態からRRC_INACTIVE状態へ移行させる制御信号を前記端末装置へ送信する制御信号送信ステップと、前記RRC_CONNECTED状態における前記端末装置間のアップリンク受信に使用した接続パラメータ情報を使用して、前記RRC_CONNECTED状態から移行した前記RRC_INACTIVE状態の前記端末装置間のアップリンク受信を行うアップリンク受信ステップと、を実行させるためのコンピュータプログラムである。
【発明の効果】
【００１７】
本発明によれば、RRC_INACTIVE状態である端末装置が基地局装置間のアップリンク送信を行うことができるという効果が得られる。
【図面の簡単な説明】
【００１８】
【図１】一実施形態に係る移動通信システムの概略の構成例を示すブロック図である。
【図２】一実施形態に係る端末装置の概略の構成例を示すブロック図である。
【図３】一実施形態に係る基地局装置の概略の構成例を示すブロック図である。
【図４】一実施形態に係る通信方法の例１の手順を示すシーケンス図である。
【図５】一実施形態に係る通信方法の例２の手順を示すシーケンス図である。
【図６】一実施形態に係る通信方法の例３の手順を示すシーケンス図である。
【図７】一実施形態に係る通信方法の例４の手順を示すシーケンス図である。
【図８】一実施形態に係る通信方法の例５の手順を示すシーケンス図である。
【発明を実施するための形態】
【００１９】
以下、図面を参照し、本発明の実施形態について説明する。
図１は、一実施形態に係る移動通信システムの概略の構成例を示すブロック図である。図１に示される移動通信システム１は、例えば、ＬＴＥシステムであってもよく、又は、５Ｇシステムであってもよい。
【００２０】
図１において、端末装置１０は基地局装置２０と無線通信を行う。基地局装置２０は、コアネットワーク３０と通信接続されている。端末装置１０は、基地局装置２０を介して、コアネットワーク３０と通信を行う。
【００２１】
図２は、本実施形態に係る端末装置の概略の構成例を示すブロック図である。図２において、端末装置１０は、無線通信部１１と、端末制御部１３と、操作部１４と、表示部１５とを備える。無線通信部１１は、接続パラメータ情報記憶部１２を備える。
【００２２】
無線通信部１１は、基地局装置２０と無線通信を行う。接続パラメータ情報記憶部１２は、接続パラメータ情報を記憶する。無線通信部１１は、接続パラメータ情報記憶部１２に記憶される接続パラメータ情報を使用して、基地局装置２０との間のアップリンクの信号の送信（アップリンク送信）を行う。アップリンク（Uplink）は、端末装置１０から基地局装置２０へ向かう方向のリンクである。ダウンリンク（Downlink）は基地局装置２０から端末装置１０へ向かう方向のリンクである。
【００２３】
端末装置１０が基地局装置２０へアップリンク送信する信号は、ユーザデータ信号（User-plane（U-plane）信号）であってもよく、又は、制御信号（Control-plane（C-plane）信号）であってもよい。
【００２４】
接続パラメータ情報は、例えば、送信タイミング情報、物理リソース情報、変調符号化方式情報、送信電力情報などである。送信タイミング情報は、スロット周期と、ダウンリンクフレームからのオフセット値とを含む情報である。物理リソース情報は、送信リソースのシンボル位置と周波数位置とを含む情報である。変調符号化方式情報は、ＭＣＳ（Modulation and Coding Scheme）とＣＱＩ（Channel Quality Indicator）とを含む情報である。ＭＣＳは、変調方式と符号化率とを示す情報である。
【００２５】
端末制御部１３は、端末装置１０の制御を行う。操作部１４は、例えばテンキー等の入力デバイスから構成され、利用者の操作に応じたデータ入力を行う。表示部１５は、例えば液晶表示装置等の表示デバイスから構成され、データ表示を行う。なお、端末装置１０は、データ入力とデータ表示の両方が可能なタッチパネルを備えてもよい。
【００２６】
端末装置１０として、スマートフォン等の携帯通信端末装置、タブレット型のコンピュータ装置（タブレットＰＣ）などを利用してもよい。
【００２７】
図３は、本実施形態に係る基地局装置の概略の構成例を示すブロック図である。図３において、基地局装置２０は、無線通信部２１と、基地局制御部２３と、通信部２４とを備える。無線通信部２１は、接続パラメータ情報記憶部２２を備える。
【００２８】
無線通信部２１は、端末装置１０と無線通信を行う。接続パラメータ情報記憶部２２は、接続パラメータ情報を記憶する。無線通信部２１は、接続パラメータ情報記憶部２２に記憶される接続パラメータ情報を使用して、端末装置１０との間のアップリンクの信号の受信（アップリンク受信）を行う。
【００２９】
基地局制御部２３は、基地局装置２０の制御を行う。通信部２４は、コアネットワーク３０と通信を行う。
【００３０】
次に、本実施形態に係る通信方法の例を説明する。
【００３１】
［通信方法の例１］
図４を参照して、本実施形態に係る通信方法の例１を説明する。図４は、本実施形態に係る通信方法の例１の手順を示すシーケンス図である。
【００３２】
（ステップＳ１）  端末装置１０は、RRC_CONNECTED状態である。端末装置１０は、RRC_CONNECTED状態における接続パラメータ情報を接続パラメータ情報記憶部１２に記憶する。RRC_CONNECTED状態である端末装置１０の無線通信部１１は、接続パラメータ情報記憶部１２に記憶されるRRC_CONNECTED状態における接続パラメータ情報を使用して、基地局装置２０との間のアップリンク送信を行う。
【００３３】
基地局装置２０の無線通信部２１は、RRC_CONNECTED状態における接続パラメータ情報を接続パラメータ情報記憶部２２に記憶する。無線通信部２１は、接続パラメータ情報記憶部２２に記憶されるRRC_CONNECTED状態における接続パラメータ情報を使用して、RRC_CONNECTED状態である端末装置１０との間のアップリンク受信を行う。
【００３４】
（ステップＳ２）  基地局装置２０の無線通信部２１は、「RRC release」信号を端末装置１０へ送信する。この「RRC release」信号は、「suspendConfig」と接続パラメータ情報とを含む信号である。「suspendConfig」を含む「RRC release」信号は、RRC_CONNECTED状態からRRC_INACTIVE状態へ移行させる制御信号である。「suspendConfig」を含む「RRC release」信号に含まれる接続パラメータ情報は、当該「suspendConfig」を含む「RRC release」信号によってRRC_CONNECTED状態から移行したRRC_INACTIVE状態における接続パラメータ情報である。無線通信部２１は、「suspendConfig」を含む「RRC release」信号に含まれるRRC_INACTIVE状態における接続パラメータ情報を、接続パラメータ情報記憶部２２に記憶する。
【００３５】
（ステップＳ３）  端末装置１０の無線通信部１１は、基地局装置２０から「suspendConfig」及び接続パラメータ情報を含む「RRC release」信号を受信すると、受信した「RRC release」信号に含まれるRRC_INACTIVE状態における接続パラメータ情報を、接続パラメータ情報記憶部１２に記憶する。また、無線通信部１１は、接続パラメータ情報記憶部１２から、RRC_CONNECTED状態における接続パラメータ情報を削除する。
【００３６】
（ステップＳ４）  端末装置１０は、基地局装置２０から受信した「suspendConfig」及び接続パラメータ情報を含む「RRC release」信号に応じて、RRC_INACTIVE状態に移行する。
【００３７】
（ステップＳ５）  RRC_INACTIVE状態である端末装置１０の無線通信部１１は、接続パラメータ情報記憶部１２に記憶されるRRC_INACTIVE状態における接続パラメータ情報を使用して、基地局装置２０との間のアップリンク送信を行う。基地局装置２０の無線通信部２１は、接続パラメータ情報記憶部２２に記憶されるRRC_INACTIVE状態における接続パラメータ情報を使用して、RRC_INACTIVE状態である端末装置１０との間のアップリンク受信を行う。
【００３８】
上述した通信方法の例１によれば、RRC_INACTIVE状態である端末装置１０は、基地局装置２０から受信した「suspendConfig」を含む「RRC release」信号に含まれる接続パラメータ情報を使用して、基地局装置２０間のアップリンク送信を行うことができる。
【００３９】
［通信方法の例２］
図５を参照して、本実施形態に係る通信方法の例２を説明する。図５は、本実施形態に係る通信方法の例２の手順を示すシーケンス図である。図５の例では、端末装置１０がRRC_CONNECTED状態に移行する手順の一例として、端末装置１０が電源オンされた後に実行する初期接続の手順を示している。なお、端末装置１０がRRC_CONNECTED状態に移行する手順は、初期接続の手順以外の手順であってもよい。
【００４０】
（ステップＳ１１）  端末装置１０は電源オンされる。次いで、端末装置１０の無線通信部１１は、初期接続の手順としてステップＳ１２からステップＳ１５までを実行する。
【００４１】
（ステップＳ１２）  端末装置１０の無線通信部１１は、「RACH preamble」信号を基地局装置２０へ送信する。
【００４２】
（ステップＳ１３）  基地局装置２０の無線通信部２１は、「RACH response」信号を端末装置１０へ送信する。
【００４３】
（ステップＳ１４）  端末装置１０の無線通信部１１は、「RACH connection request」信号を基地局装置２０へ送信する。
【００４４】
（ステップＳ１５）  基地局装置２０の無線通信部２１は、「RACH connection setup (C-RNTI)」信号を端末装置１０へ送信する。
【００４５】
（ステップＳ１６）  端末装置１０の無線通信部１１は、初期接続の手順により、RRC_CONNECTED状態における接続パラメータ情報を取得する。無線通信部１１は、取得したRRC_CONNECTED状態における接続パラメータ情報を接続パラメータ情報記憶部１２に記憶する。
【００４６】
（ステップＳ１７）  端末装置１０は、RRC_CONNECTED状態に移行する。RRC_CONNECTED状態である端末装置１０の無線通信部１１は、接続パラメータ情報記憶部１２に記憶されるRRC_CONNECTED状態における接続パラメータ情報を使用して、基地局装置２０との間のアップリンク送信を行う。
【００４７】
基地局装置２０の無線通信部２１は、RRC_CONNECTED状態における接続パラメータ情報を接続パラメータ情報記憶部２２に記憶する。無線通信部２１は、接続パラメータ情報記憶部２２に記憶される、RRC_CONNECTED状態における接続パラメータ情報を使用して、RRC_CONNECTED状態である端末装置１０との間のアップリンク受信を行う。
【００４８】
（ステップＳ１８）  基地局装置２０の無線通信部２１は、「suspendConfig」を含む「RRC release」信号を端末装置１０へ送信する。
【００４９】
（ステップＳ１９）  基地局装置２０の無線通信部２１は、接続パラメータ情報記憶部２２に記憶されるRRC_CONNECTED状態における接続パラメータ情報を、継続して接続パラメータ情報記憶部２２に保持する。
【００５０】
（ステップＳ２０）  端末装置１０の無線通信部１１は、基地局装置２０から「suspendConfig」を含む「RRC release」信号を受信すると、接続パラメータ情報記憶部１２に記憶されるRRC_CONNECTED状態における接続パラメータ情報を、継続して接続パラメータ情報記憶部１２に保持する。
【００５１】
（ステップＳ２１）  端末装置１０は、基地局装置２０から受信した「suspendConfig」を含む「RRC release」信号に応じて、RRC_INACTIVE状態に移行する。
【００５２】
（ステップＳ２２）  RRC_INACTIVE状態である端末装置１０の無線通信部１１は、接続パラメータ情報記憶部１２に記憶されるRRC_CONNECTED状態における接続パラメータ情報を使用して、基地局装置２０との間のアップリンク送信を行う。基地局装置２０の無線通信部２１は、接続パラメータ情報記憶部２２に記憶されるRRC_CONNECTED状態における接続パラメータ情報を使用して、RRC_INACTIVE状態である端末装置１０との間のアップリンク受信を行う。
【００５３】
上述した通信方法の例２によれば、RRC_CONNECTED状態からRRC_INACTIVE状態に移行した端末装置１０は、当該RRC_CONNECTED状態における基地局装置間のアップリンク送信の接続パラメータ情報を使用して、基地局装置間のアップリンク送信を行うことができる。
【００５４】
なお、上述した通信方法の例１と例２を組み合わせてもよい。通信方法の例１と例２を組み合わせる場合において、基地局装置２０から端末装置１０へ「suspendConfig」及び接続パラメータ情報を含む「RRC release」信号が送信されるときには、上述した通信方法の例１と同様の接続パラメータ情報の設定が行われ、一方、基地局装置２０から端末装置１０へ送信される「suspendConfig」を含む「RRC release」信号が接続パラメータ情報を含まないときには、上述した通信方法の例２と同様の接続パラメータ情報の設定が行われる。
【００５５】
［通信方法の例３］
図６を参照して、本実施形態に係る通信方法の例３を説明する。図６は、本実施形態に係る通信方法の例３の手順を示すシーケンス図である。図６において、図５の各ステップに対応するステップには同一の符号を付している。図６の例では、図５の例と同様に、端末装置１０がRRC_CONNECTED状態に移行する手順の一例として、端末装置１０が電源オンされた後に実行する初期接続の手順を示している。なお、端末装置１０がRRC_CONNECTED状態に移行する手順は、初期接続の手順以外の手順であってもよい。
【００５６】
図６に示されるステップＳ１１からステップＳ１７までが実行される。ステップＳ１１からステップＳ１７までは、上述した図５に係る通信方法の例２と同じである。次いで、ステップＳ３１が実行される。
【００５７】
（ステップＳ３１）  基地局装置２０の無線通信部２１は、「suspendConfig」及び接続パラメータ情報使用情報を含む「RRC release」信号を端末装置１０へ送信する。接続パラメータ情報使用情報は、RRC_CONNECTED状態の接続パラメータ情報を使用するか否かを示す情報である。
【００５８】
（ステップＳ３２）  基地局装置２０の無線通信部２１は、端末装置１０へ送信した「RRC release」信号の接続パラメータ情報使用情報がRRC_CONNECTED状態の接続パラメータ情報を使用することを示す場合に、接続パラメータ情報記憶部２２に記憶されるRRC_CONNECTED状態における接続パラメータ情報を、継続して接続パラメータ情報記憶部２２に保持する。一方、基地局装置２０の無線通信部２１は、端末装置１０へ送信した「RRC release」信号の接続パラメータ情報使用情報がRRC_CONNECTED状態の接続パラメータ情報を使用することを示さない場合には、接続パラメータ情報記憶部２２から、RRC_CONNECTED状態における接続パラメータ情報を削除する。
【００５９】
（ステップＳ３３）  端末装置１０の無線通信部１１は、基地局装置２０から「suspendConfig」及び接続パラメータ情報使用情報を含む「RRC release」信号を受信した場合において当該「RRC release」信号の接続パラメータ情報使用情報がRRC_CONNECTED状態の接続パラメータ情報を使用することを示すときに、接続パラメータ情報記憶部１２に記憶されるRRC_CONNECTED状態における接続パラメータ情報を、継続して接続パラメータ情報記憶部１２に保持する。一方、端末装置１０の無線通信部１１は、当該「RRC release」信号の接続パラメータ情報使用情報がRRC_CONNECTED状態の接続パラメータ情報を使用することを示さないときには、接続パラメータ情報記憶部１２から、RRC_CONNECTED状態における接続パラメータ情報を削除する。
【００６０】
（ステップＳ３４）  端末装置１０は、基地局装置２０から受信した「suspendConfig」及び接続パラメータ情報使用情報を含む「RRC release」信号に応じて、RRC_INACTIVE状態に移行する。
【００６１】
（ステップＳ３５）  RRC_INACTIVE状態である端末装置１０の無線通信部１１は、接続パラメータ情報記憶部１２に記憶されるRRC_CONNECTED状態における接続パラメータ情報を使用して、基地局装置２０との間のアップリンク送信を行う。基地局装置２０の無線通信部２１は、接続パラメータ情報記憶部２２に記憶されるRRC_CONNECTED状態における接続パラメータ情報を使用して、RRC_INACTIVE状態である端末装置１０との間のアップリンク受信を行う。
【００６２】
上述した通信方法の例３によれば、RRC_CONNECTED状態からRRC_INACTIVE状態に移行した端末装置１０は、基地局装置２０から接続パラメータ情報使用情報「使用する」を受信した場合、当該RRC_CONNECTED状態における基地局装置間のアップリンク送信の接続パラメータ情報を使用して、基地局装置間のアップリンク送信を行うことができる。また、基地局装置２０は、RRC_CONNECTED状態からRRC_INACTIVE状態に移行させる端末装置１０に対して、当該RRC_CONNECTED状態における基地局装置間のアップリンク送信の接続パラメータ情報を使用するか否かを、接続パラメータ情報使用情報により指示することができる。
【００６３】
なお、上述した通信方法の例１と例３を組み合わせてもよい。通信方法の例１と例３を組み合わせる場合において、基地局装置２０から端末装置１０へ「suspendConfig」及び接続パラメータ情報を含む「RRC release」信号が送信されるときには、上述した通信方法の例１と同様の接続パラメータ情報の設定が行われ、一方、基地局装置２０から端末装置１０へ「suspendConfig」及び接続パラメータ情報使用情報を含む「RRC release」信号が送信されるときには、上述した通信方法の例３と同様の接続パラメータ情報の設定が行われる。
【００６４】
［通信方法の例４］
図７を参照して、本実施形態に係る通信方法の例４を説明する。図７は、本実施形態に係る通信方法の例４の手順を示すシーケンス図である。図７において、図５の各ステップに対応するステップには同一の符号を付している。図７の例では、図５の例と同様に、端末装置１０がRRC_CONNECTED状態に移行する手順の一例として、端末装置１０が電源オンされた後に実行する初期接続の手順を示している。なお、端末装置１０がRRC_CONNECTED状態に移行する手順は、初期接続の手順以外の手順であってもよい。
【００６５】
図７に示されるステップＳ１１からステップＳ１７までが実行される。ステップＳ１１からステップＳ１７までは、上述した図５に係る通信方法の例２と同じである。次いで、ステップＳ４１が実行される。
【００６６】
（ステップＳ４１）  基地局装置２０の無線通信部２１は、「suspendConfig」を含む「RRC release」信号を端末装置１０へ送信する。
【００６７】
（ステップＳ４２）  基地局装置２０の無線通信部２１は、特定のＱｏＳ（Quality of Service）が設定されたベアラ（以下、特定ＱｏＳベアラと称する）が端末装置１０とコアネットワーク３０との間に確立されているか否かを示す情報を保持する。基地局装置２０の無線通信部２１は、特定ＱｏＳベアラが端末装置１０とコアネットワーク３０との間に確立されている場合に、接続パラメータ情報記憶部２２に記憶されるRRC_CONNECTED状態における接続パラメータ情報を、継続して接続パラメータ情報記憶部２２に保持する。一方、基地局装置２０の無線通信部２１は、当該特定ＱｏＳベアラが端末装置１０とコアネットワーク３０との間に確立されていない場合には、接続パラメータ情報記憶部２２から、RRC_CONNECTED状態における接続パラメータ情報を削除する。
【００６８】
なお、端末装置１０が特定ＱｏＳベアラを確立する相手であるコアネットワーク３０のノードは、例えば、ＬＴＥシステムのコアネットワークのＳ−ＧＷ（Serving Gateway）や、５ＧシステムのコアネットワークのＵＰＦ（User plane function）などである。また、ＬＴＥシステムにおいて、ＱｏＳは、ＱＣＩ（QoS Class Identifier）で表される。また、５Ｇシステムにおいて、ＱｏＳは、５ＱＩ（5G QoS Identifier）で表される。
【００６９】
（ステップＳ４３）  端末装置１０の無線通信部１１は、特定ＱｏＳベアラが自端末装置１０とコアネットワーク３０との間に確立されているか否かを示す情報を保持する。端末装置１０の無線通信部１１は、基地局装置２０から「suspendConfig」を含む「RRC release」信号を受信した場合において、特定ＱｏＳベアラが自端末装置１０とコアネットワーク３０との間に確立されているときに、接続パラメータ情報記憶部１２に記憶されるRRC_CONNECTED状態における接続パラメータ情報を、継続して接続パラメータ情報記憶部１２に保持する。一方、端末装置１０の無線通信部１１は、基地局装置２０から「suspendConfig」を含む「RRC release」信号を受信した場合において、特定ＱｏＳベアラが自端末装置１０とコアネットワーク３０との間に確立されていないときには、接続パラメータ情報記憶部１２から、RRC_CONNECTED状態における接続パラメータ情報を削除する。
【００７０】
（ステップＳ４４）  端末装置１０は、基地局装置２０から受信した「suspendConfig」を含む「RRC release」信号に応じて、RRC_INACTIVE状態に移行する。
【００７１】
（ステップＳ４５）  RRC_INACTIVE状態である端末装置１０の無線通信部１１は、接続パラメータ情報記憶部１２に記憶されるRRC_CONNECTED状態における接続パラメータ情報を使用して、基地局装置２０との間のアップリンク送信を行う。基地局装置２０の無線通信部２１は、接続パラメータ情報記憶部２２に記憶されるRRC_CONNECTED状態における接続パラメータ情報を使用して、RRC_INACTIVE状態である端末装置１０との間のアップリンク受信を行う。
【００７２】
上述した通信方法の例４によれば、RRC_CONNECTED状態からRRC_INACTIVE状態に移行した端末装置１０は、特定ＱｏＳベアラが自端末装置１０とコアネットワーク３０との間に確立されている場合、当該RRC_CONNECTED状態における基地局装置間のアップリンク送信の接続パラメータ情報を使用して、基地局装置間のアップリンク送信を行うことができる。
【００７３】
なお、上述した通信方法の例１と例４を組み合わせてもよい。通信方法の例１と例４を組み合わせる場合において、基地局装置２０から端末装置１０へ「suspendConfig」及び接続パラメータ情報を含む「RRC release」信号が送信されるときには、上述した通信方法の例１と同様の接続パラメータ情報の設定が行われ、一方、基地局装置２０から端末装置１０へ送信される「suspendConfig」を含む「RRC release」信号が接続パラメータ情報を含まないときには、上述した通信方法の例４と同様の接続パラメータ情報の設定が行われる。
【００７４】
［通信方法の例５］
図８を参照して、本実施形態に係る通信方法の例５を説明する。図８は、本実施形態に係る通信方法の例５の手順を示すシーケンス図である。図８において、図４の各ステップに対応するステップには同一の符号を付している。
【００７５】
図８に示されるステップＳ１からステップＳ５までが実行される。ステップＳ１からステップＳ５までは、上述した図４に係る通信方法の例１と同じである。次いで、ステップＳ５１，Ｓ５２が実行される。ステップＳ５１，Ｓ５２は、RRC_INACTIVE状態である端末装置１０がRRC_CONNECTED状態に移行する手順の一例である。
【００７６】
（ステップＳ５１）  端末装置１０の無線通信部１１は、「RRC Connection Resume Request」信号を基地局装置２０へ送信する。
【００７７】
（ステップＳ５２）  基地局装置２０の無線通信部２１は、「RRC Connection Resume」信号を端末装置１０へ送信する。
【００７８】
（ステップＳ５３）  基地局装置２０の無線通信部２１は、接続パラメータ情報記憶部２２に記憶されるRRC_INACTIVE状態における接続パラメータ情報を、継続して接続パラメータ情報記憶部２２に保持する。
【００７９】
（ステップＳ５４）  端末装置１０の無線通信部１１は、接続パラメータ情報記憶部１２に記憶されるRRC_INACTIVE状態における接続パラメータ情報を、継続して接続パラメータ情報記憶部１２に保持する。
【００８０】
（ステップＳ５５）  端末装置１０は、基地局装置２０から受信した「RRC Connection Resume」信号に応じて、RRC_CONNECTED状態に移行する。
【００８１】
（ステップＳ５６）  RRC_CONNECTED状態である端末装置１０の無線通信部１１は、接続パラメータ情報記憶部１２に記憶されるRRC_INACTIVE状態における接続パラメータ情報を使用して、基地局装置２０との間のアップリンク送信を行う。基地局装置２０の無線通信部２１は、接続パラメータ情報記憶部２２に記憶されるRRC_INACTIVE状態における接続パラメータ情報を使用して、RRC_CONNECTED状態である端末装置１０との間のアップリンク受信を行う。
【００８２】
上述した通信方法の例５によれば、RRC_INACTIVE状態からRRC_CONNECTED状態に移行した端末装置１０は、当該RRC_INACTIVE状態における基地局装置間のアップリンク送信の接続パラメータ情報を使用して、基地局装置間のアップリンク送信を行うことができる。これにより、端末装置１０がRRC_INACTIVE状態からRRC_CONNECTED状態に移行する手順において、RRC_CONNECTED状態で使用する接続パラメータ情報を端末装置１０が取得する手順を省略することができる。
【００８３】
なお、上述した通信方法の例５を、上述した通信方法の例２、例３、例４と組み合わせてもよい。
【００８４】
また、上述した通信方法の例５では、RRC_INACTIVE状態からRRC_CONNECTED状態に移行した端末装置１０が当該RRC_INACTIVE状態における接続パラメータ情報を接続パラメータ情報記憶部１２に継続して保持したが、他の方法によって、RRC_INACTIVE状態からRRC_CONNECTED状態に移行した端末装置１０が基地局装置間のアップリンク送信に使用する接続パラメータ情報を端末装置１０に設定してもよい。
【００８５】
例えば、基地局装置２０の無線通信部２１が接続パラメータ情報を含む「RRC Connection Resume」信号を端末装置１０へ送信する。端末装置１０の無線通信部１１は、当該「RRC Connection Resume」信号の接続パラメータ情報を接続パラメータ情報記憶部１２に記憶する。また、端末装置１０の無線通信部１１は、接続パラメータ情報記憶部１２から、RRC_INACTIVE状態における接続パラメータ情報を削除する。RRC_INACTIVE状態からRRC_CONNECTED状態に移行した端末装置１０の無線通信部１１は、接続パラメータ情報記憶部１２に記憶される「RRC Connection Resume」信号の接続パラメータ情報を使用して、基地局装置２０との間のアップリンク送信を行う。基地局装置２０の無線通信部２１は、当該「RRC Connection Resume」信号の接続パラメータ情報を接続パラメータ情報記憶部２２に記憶し、当該「RRC Connection Resume」信号の接続パラメータ情報を使用して、RRC_CONNECTED状態である端末装置１０との間のアップリンク受信を行う。
【００８６】
上述した実施形態によれば、RRC_INACTIVE状態である端末装置が基地局装置間のアップリンク送信を行うことができるという効果が得られる。
【００８７】
また、基地局装置は、RRC_INACTIVE状態である端末装置がアップリンク送信に使用する接続パラメータ情報を認識できるので、RRC_INACTIVE状態である端末装置間のアップリンク受信を行うことができる。また、RRC_INACTIVE状態である端末装置からアップリンク送信された信号が、他の同期端末の信号に悪影響を及ぼすことを防止することができる。
【００８８】
なお、本実施形態は、RRC_INACTIVE状態である端末装置が行う基地局装置間の同期アップリンク送信及び非同期アップリンク送信の両方に適用してもよい。
【００８９】
また、端末装置１０の無線通信部１１は、RRC_INACTIVE状態において、基地局装置２０から受信した信号に基づいて当該基地局装置２０との間のアップリンク送信に使用する接続パラメータ情報の送信電力値を調整してもよい。例えば、端末装置１０の無線通信部１１は、基地局装置２０から周期的に送信される信号を観測し、当該観測の結果に基づいてパスロスを計算し、当該計算の結果のパスロスに基づいて接続パラメータ情報の送信電力値を変更する。
【００９０】
また、端末装置がRRC_INACTIVE状態で使用する接続パラメータ情報として、過去に使用実績がある接続パラメータ情報を適用してもよく、又は、予め定められた接続パラメータ情報を適用してもよい。
【００９１】
また、端末装置のRRC_INACTIVE状態における基地局装置間のアップリンク送信の接続パラメータ情報は、次のRRC_INACTIVE状態における基地局装置間のアップリンク送信の接続パラメータ情報として繰り返し使用されてもよい。
【００９２】
以上、本発明の実施形態について図面を参照して詳述してきたが、具体的な構成はこの実施形態に限られるものではなく、本発明の要旨を逸脱しない範囲の設計変更等も含まれる。
【００９３】
上述した各装置の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disc）等の可搬媒体、コンピュータシステムに内蔵されるハードディスク等の記憶装置のことをいう。
【００９４】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００９５】
１…移動通信システム、１０…端末装置、１１，２１…無線通信部、１２，２２…接続パラメータ情報記憶部、１３…端末制御部、１４…操作部、１５…表示部、２０…基地局装置、２３…基地局制御部、２４…通信部、３０…コアネットワーク
【図１】
2020027955.tif 000003
【図２】
2020027955.tif 000004
【図３】
2020027955.tif 000005
【図４】
2020027955.tif 000006
【図５】
2020027955.tif 000007
【図６】
2020027955.tif 000008
【図７】
2020027955.tif 000009
【図８】
2020027955.tif 000010